(57)【要約】【課題】人の創造性を伴う伝承やチームワークの仕事を体系的に整理して、伝承とチームワークの共有知とすることができる。【解決手段】分類コードと倫理コードの組み合わせで一意に決まる環境変化と、現状分析と、目標と、行動計画と、到達目標とを、分類コードと倫理コードとの組み合わせに関連付けて記憶する評価情報記憶部と、フォーム識別情報と、分類コードと、倫理コードと、カラムと、位置データとを関連付けて予め記憶するフォーム記憶部と、情報の入力を受け付け、評価情報記憶部に書き込む入力受付部と、指定されたフォーム識別情報に基づきフォーム記憶部が記憶する分類コードと、倫理コードと、カラムと、位置データとを読み出し、分類コードと、倫理コードと、カラムとで特定される情報を評価情報記憶部より読み出し、位置データに基づいて配置したマップを作成し出力するマップ作成部とを備えたことを特徴とする倫理情報処理装置。【選択図】図２
2009301354.tif 000002
【特許請求の範囲】
【請求項１】
分類コードと倫理コードとの組み合わせで一意に決まる、環境変化と、現状分析と、目標と、行動計画と、到達目標とを、前記分類コードと前記倫理コードとの組み合わせに関連付けて記憶する評価情報記憶部と、
フォーム識別情報と、分類コードと、倫理コードと、カラムと、位置データとを関連付けて予め記憶するフォーム記憶部と、
分類コードと、倫理コードと、環境変化と、現状分析と、目標と、行動計画と、到達目標との入力を受け付け、前記評価情報記憶部に書き込む入力受付部と、
指定されたフォーム識別情報に基づき前記フォーム記憶部が記憶する前記分類コードと、前記倫理コードと、前記カラムと、前記位置データとを読み出し、当該分類コードと、当該倫理コードと、当該カラムとで特定される情報を前記評価情報記憶部より読み出し、読み出した当該情報を当該位置データに基づいて配置したマップを作成し出力するマップ作成部と、
を備えたことを特徴とする倫理情報処理装置。
【請求項２】
前記評価情報記憶部はさらに、前記分類コードと倫理コードとの組み合わせで一意に決まる、環境変化ポイントと、現状分析ポイントと、目標ポイントと、行動計画ポイントと、到達目標ポイントとを、前記分類コードと倫理コードとの組み合わせに関連付けて記憶し、
前記マップ作成部は、前記分類コードと倫理コードとの組み合わせで一意に決まる、環境変化ポイントと、現状分析ポイントと、目標ポイントと、行動計画ポイントと、到達目標ポイントとを前記評価情報記憶部から読み出し、読み出した環境変化ポイントと、現状分析ポイントと、目標ポイントと、行動計画ポイントと、到達目標ポイントとに基づいたグラフを出力する
ことを特徴とする請求項１に記載の倫理情報処理装置。
【請求項３】
分類コードと倫理コードとの組み合わせで一意に決まる、環境変化と、現状分析と、目標と、行動計画と、到達目標とを、前記分類コードと前記倫理コードとの組み合わせに関連付けて記憶する評価情報記憶部と、
フォーム識別情報と、分類コードと、倫理コードと、カラムと、位置データとを関連付けて予め記憶するフォーム記憶部と、
分類コードと、倫理コードと、環境変化と、現状分析と、目標と、行動計画と、到達目標との入力を受け付け、前記評価情報記憶部に書き込む入力受付部と、
を備える倫理情報処理装置による倫理情報処理方法であって、
指定されたフォーム識別情報に基づき前記フォーム記憶部が記憶する前記分類コードと、前記倫理コードと、前記カラムと、前記位置データとを読み出し、当該分類コードと、当該倫理コードと、当該カラムとで特定される情報を前記評価情報記憶部より読み出し、読み出した当該情報を当該位置データに基づいて配置したマップを作成し出力するマップ作成過程
を含むことを特徴とする倫理情報処理方法。
【請求項４】
分類コードと倫理コードとの組み合わせで一意に決まる、環境変化と、現状分析と、目標と、行動計画と、到達目標とを、前記分類コードと前記倫理コードとの組み合わせに関連付けて記憶する評価情報記憶部と、
フォーム識別情報と、分類コードと、倫理コードと、カラムと、位置データとを関連付けて予め記憶するフォーム記憶部と、
分類コードと、倫理コードと、環境変化と、現状分析と、目標と、行動計画と、到達目標との入力を受け付け、前記評価情報記憶部に書き込む入力受付部と、
を備えるコンピュータに、
指定されたフォーム識別情報に基づき前記フォーム記憶部が記憶する前記分類コードと、前記倫理コードと、前記カラムと、前記位置データとを読み出し、当該分類コードと、当該倫理コードと、当該カラムとで特定される情報を前記評価情報記憶部より読み出し、読み出した当該情報を当該位置データに基づいて配置したマップを作成し出力するマップ作成過程
の処理を実行させることを特徴とする倫理情報処理プログラム。
【発明の詳細な説明】
【技術分野】
【０００１】
本発明は、倫理情報処理装置、倫理情報処理方法および倫理情報処理プログラムに関する。
【背景技術】
【０００２】
従来、７育５心３Ｖ法を用いたライフナビゲーションシステムが知られている（例えば、特許文献１参照）。
【特許文献１】特開２００８−９８４４号公報
【発明の開示】
【発明が解決しようとする課題】
【０００３】
従来、人の創造性を伴う仕事を体系的に整理して共有する仕組みがなかった。例えば、商品の企画開発の方法として、開発者個人が暗黙知のアイデアに基づいて、個人の技で商品の企画開発を行っていることが知られている。しかしながら、この企画開発方法では、企画開発した商品に対する評価としては、実際にその商品を発売し、発売後の各種調査によってしか得ることができないという問題がある。また、この評価についても暗黙知に基づいてなされるため、正しい評価が得られないという問題がある。また、企画開発および評価は暗黙知に基づいてなされるため暗黙知の循環となり、商品がヒットした場合においても、ヒットした要因を正しく評価することができないという問題がある。これらの問題は、先述したとおり、人の創造性を伴う仕事を体系的に整理して共有する仕組みがないという問題により起こっている。
【０００４】
本発明は、このような事情に鑑みてなされたもので、人の創造性を伴う伝承やチームワークの仕事を体系的に整理して、伝承とチームワークの共有知とすることができる倫理情報処理装置、倫理情報処理方法および倫理情報処理プログラムを提供することを目的とする。
【課題を解決するための手段】
【０００５】
本発明は、分類コードと倫理コードとの組み合わせで一意に決まる、環境変化と、現状分析と、目標と、行動計画と、到達目標とを、前記分類コードと前記倫理コードとの組み合わせに関連付けて記憶する評価情報記憶部と、フォーム識別情報と、分類コードと、倫理コードと、カラムと、位置データとを関連付けて予め記憶するフォーム記憶部と、分類コードと、倫理コードと、環境変化と、現状分析と、目標と、行動計画と、到達目標との入力を受け付け、前記評価情報記憶部に書き込む入力受付部と、指定されたフォーム識別情報に基づき前記フォーム記憶部が記憶する前記分類コードと、前記倫理コードと、前記カラムと、前記位置データとを読み出し、当該分類コードと、当該倫理コードと、当該カラムとで特定される情報を前記評価情報記憶部より読み出し、読み出した当該情報を当該位置データに基づいて配置したマップを作成し出力するマップ作成部と、を備えたことを特徴とする倫理情報処理装置である。
【０００６】
この構成により、入力受付部は、入力を受け付けた環境変化と、現状分析と、目標と、行動計画と、到達目標とを、分類コードと倫理コードとの組み合わせに関連付けて評価情報記憶部に記憶する。また、マップ作成部は、フォーム記憶部より分類コードと、倫理コードと、カラムと、位置データとを読み出し、読み出した分類コードと、倫理コードと、カラムとで特定する情報を評価情報記憶部より読み出す。また、マップ作成部は、読み出した情報を位置データに基づいて配置することでマップを作成し、出力する。
【０００７】
また、本発明の倫理情報処理装置において、前記評価情報記憶部はさらに、前記分類コードと倫理コードとの組み合わせで一意に決まる、環境変化ポイントと、現状分析ポイントと、目標ポイントと、行動計画ポイントと、到達目標ポイントとを、前記分類コードと倫理コードとの組み合わせに関連付けて記憶し、前記マップ作成部は、前記分類コードと倫理コードとの組み合わせで一意に決まる、環境変化ポイントと、現状分析ポイントと、目標ポイントと、行動計画ポイントと、到達目標ポイントとを前記評価情報記憶部から読み出し、読み出した環境変化ポイントと、現状分析ポイントと、目標ポイントと、行動計画ポイントと、到達目標ポイントとに基づいたグラフを出力することを特徴とする。
【０００８】
また、本発明は、分類コードと倫理コードとの組み合わせで一意に決まる、環境変化と、現状分析と、目標と、行動計画と、到達目標とを、前記分類コードと前記倫理コードとの組み合わせに関連付けて記憶する評価情報記憶部と、フォーム識別情報と、分類コードと、倫理コードと、カラムと、位置データとを関連付けて予め記憶するフォーム記憶部と、分類コードと、倫理コードと、環境変化と、現状分析と、目標と、行動計画と、到達目標との入力を受け付け、前記評価情報記憶部に書き込む入力受付部と、を備える倫理情報処理装置による倫理情報処理方法であって、指定されたフォーム識別情報に基づき前記フォーム記憶部が記憶する前記分類コードと、前記倫理コードと、前記カラムと、前記位置データとを読み出し、当該分類コードと、当該倫理コードと、当該カラムとで特定される情報を前記評価情報記憶部より読み出し、読み出した当該情報を当該位置データに基づいて配置したマップを作成し出力するマップ作成過程を含むことを特徴とする倫理情報処理方法である。
【０００９】
また、本発明は、分類コードと倫理コードとの組み合わせで一意に決まる、環境変化と、現状分析と、目標と、行動計画と、到達目標とを、前記分類コードと前記倫理コードとの組み合わせに関連付けて記憶する評価情報記憶部と、フォーム識別情報と、分類コードと、倫理コードと、カラムと、位置データとを関連付けて予め記憶するフォーム記憶部と、分類コードと、倫理コードと、環境変化と、現状分析と、目標と、行動計画と、到達目標との入力を受け付け、前記評価情報記憶部に書き込む入力受付部と、を備えるコンピュータに、指定されたフォーム識別情報に基づき前記フォーム記憶部が記憶する前記分類コードと、前記倫理コードと、前記カラムと、前記位置データとを読み出し、当該分類コードと、当該倫理コードと、当該カラムとで特定される情報を前記評価情報記憶部より読み出し、読み出した当該情報を当該位置データに基づいて配置したマップを作成し出力するマップ作成過程の処理を実行させることを特徴とする倫理情報処理プログラムである。
【発明の効果】
【００１０】
本発明によれば、人の創造性を伴う仕事に関する情報である、環境変化と、現状分析と、目標と、行動計画と、到達目標とに基づいて作成したマップを出力することができるため、人の創造性を伴う伝承やチームワークの仕事を体系的に整理して、伝承とチームワークの共有知とすることができる。
【発明を実施するための最良の形態】
【００１１】
以下、図面を参照し、本発明の一実施形態を説明する。本実施形態において、倫理情報処理装置が処理を行う情報は商品開発に関する情報である。図１は本実施形態における倫理情報処理装置のハードウェア構成を示す機能ブロック図である。この倫理情報処理装置は、コンピュータの技術を応用している。図１において、符号１は倫理情報処理装置である。倫理情報処理装置１は、バス１０、ＣＰＵ（中央処理装置）１１、ＲＡＭ（読み書き可能な半導体ランダムアクセスメモリ）１２、ＲＯＭ（半導体リードオンリーメモリ）１３、入出力制御部１４および１５、磁気ハードディスク装置１６、ディスプレイ装置１７を含んで構成される。
【００１２】
ＣＰＵ・１１は、バス１０を介してＲＡＭ・１２、ＲＯＭ・１３、入出力制御部１４および１５と信号のやり取りを行える。ＣＰＵ・１１は、ＲＡＭ・１２からデータを読み出したりＲＡＭ・１２にデータを書き込んだりする。また、ＣＰＵ・１１は、ＲＯＭ・１３からデータを読み出す。また、ＣＰＵ・１１は、入出力制御部１４を介して、磁気ハードディスク装置１６からデータを読み出したり磁気ハードディスク装置１６にデータを書き込んだりする。また、ＣＰＵ・１１は、入出力制御部１５を介してディスプレイ装置１７に情報（文字や図形など）を表示することができる。また、この倫理情報処理装置１は、図示しない入力手段（キーボードやタッチパネルやマウスなど）により、利用者が情報を入力できるように構成されている。
【００１３】
次に、倫理情報処理装置１の機能構成に付いて説明する。図２は、本実施形態における倫理情報処理装置１の概略機能構成を示すブロック図である。図示する例では、倫理情報処理装置１は、ユーザインタフェース部３１と、入力ガイド部３２と、入力受付部３３と、マップ作成部３４と、データベース書込部４１と、データベース４２とを含んで構成される。
【００１４】
データベース４２は、リレーショナル形式のデータベースであり、必要なデータを記憶する。このデータの詳細については後述する。ユーザインタフェース部３１は、ディスプレイ画面への表示や、キーボードからの入力や、タッチパネルからの入力や、マウスなどのポインティングデバイスからの入力をハンドリングする。入力ガイド部３２は、利用者によって入力される標準化フレームに関する情報の入力を促す画面の表示を制御する。入力受付部３３は、利用者からの入力を受け付け、それに応じた動作を行う。データベース書込部４１は、入力受付部３３が利用者から受け付けた内容に基づいて、必要なデータをデータベース４２に書き込む。マップ作成部３４は、利用者の指示に基づいてマップを作成し、作成したマップを印刷出力する。各部のより詳細な動作については、後で画面表示の例を参照しながら詳述する。
【００１５】
なお、これら各部の機能の全部または一部はコンピュータプログラムとして磁気ハードディスク装置１６（図１）に書き込んでおき、適宜、このプログラムが磁気ハードディスク装置１６から読み出され、ＲＡＭ・１２（図１）にロードされる。ＣＰＵ・１１（図１）は、内部のプログラムカウンタに従ってＲＡＭ・１２からプログラムを構成する命令を読み出し、実行する。また、データベース４２に記録されるデータは、物理的には磁気ハードディスク装置１６に書き込まれており、これをデータベース管理システム（ＤＢＭＳ、ｄａｔａｂａｓｅ  ｍａｎａｇｅｍｅｎｔ  ｓｙｓｔｅｍ）が管理する。
【００１６】
次に、図３〜図５を参照しながら、データベース４２に記憶されるデータについて説明する。データベース４２は、リレーショナル形式のデータベースであり、複数のテーブルを有している。これら複数のテーブルは、データの値により関連付けられている。
【００１７】
図３は、本実施形態における倫理情報処理装置１のデータベース４２が記憶する評価情報テーブル（評価情報記憶部）のデータ構造を示す概略図である。この評価情報テーブルは、分類コードと、倫理コードと、環境の変化・記述（環境変化）と、環境の変化・ポイント（環境変化ポイント）と、現状の分析・記述（現状分析）と、現状の分析・ポイント（現状分析ポイント）と、Ｖｉｓｉｏｎ・目標・記述（目標）と、Ｖｉｓｉｏｎ・目標・ポイント（目標ポイント）と、Ｖｅｎｔｕｅｒ・今日一日の行動計画・記述（行動計画）と、Ｖｅｎｔｕｅｒ・今日一日の行動計画・ポイント（行動計画ポイント）と、Ｖｉｃｔｏｒｙ・１年後の到達目標・記述（到達目標）と、Ｖｉｃｔｏｒｙ・１年後の到達目標・ポイント（到達目標ポイント）とのデータ項目を有する。
【００１８】
環境の変化・記述と、現状の分析・記述と、Ｖｉｓｉｏｎ・目標・記述と、Ｖｅｎｔｕｅｒ・今日一日の行動計画・記述と、Ｖｉｃｔｏｒｙ・１年後の到達目標・記述とのデータ項目はテキストデータを記憶する。また、環境の変化・ポイントと、現状の分析・ポイントと、Ｖｉｓｉｏｎ・目標・ポイントと、Ｖｅｎｔｕｅｒ・今日一日の行動計画・ポイントと、Ｖｉｃｔｏｒｙ・１年後の到達目標・ポイントとは、−１，０，１，２，３のうちいずれかの値を記憶する。また、各行は、分類コードと、倫理コードで一意に決まる。なお、倫理コードに人生憲章が記憶されている行は、環境の変化・記述のカラムのみ使用して人生憲章に関する情報を記憶する。
【００１９】
分類コードは、大分類コードと小分類コードとを連結したものであり、倫理情報処理装置１が処理を行う対象の情報について、創造思考技術毎に分類した際のコードである。本実施形態における分類コードについては後述する。
【００２０】
倫理コードは、７育５心３Ｖ法の７育と５心脳を示す情報と、人生憲章とを指定する。生き方や生活を構成している生活習慣（業務習慣・学業習慣）に対する（システム）思考の働きを構造という観点から分解したものが７育である。７育は「徳育」、「家育」、「知育」、「体育」、「遊育」、「財育」、「美育」と「統合（７育統合）」からなる。また、７育の各育は共通言語となり、共有知となる思考能力である。
【００２１】
「徳育」は、他人や社会への奉仕の精神、利他の心を持った倫理道徳、礼儀作法、ルール、マナー、エチケット、モラルなどの能力である。「家育」は、家族愛、家族の絆、家族育成力、家族を良くする能力である。「知育」は、社会生活を営むために必要な知識、学習能力、業務遂行などに必要な専門的な知識、技術、能力である。「体育」は、規則正しい食事、運動によって体力を維持し、心身の健康を管理する能力である。「遊育」は、遊び心やゆとりを持って人生を楽しく生きる能力、趣味などで楽しみを広げる能力である。「財育」は、自立して経済を切り盛りする能力、家計を維持し、豊かな生活を営むための能力である。「美育」は、感性を育み日常生活を美しく保つ能力、美に感動し美を創造する能力である。
【００２２】
また、精神機能の思考や発語時の心（脳）の働きを構造という観点から分解したものが５心脳であり７育を支える倫理思考の要素である。５心脳は、「喜びと感謝」、「積極プラス思考力」、「判断力・感情の統御力」、「克己心・忍耐力」、「勇気・行動力」と「統合（５心脳統合）」である。
【００２３】
図示する例では、一行目は、分類コード「ＮＣＣ」と、倫理コード「徳育」とで一意に特定できる行である。他の行については図示するとおりである。
【００２４】
図４は、データベース４２が記憶する創造思考技術と大分類コードと小分類コードとの関係を表すコードマスタのデータ構造を示す概略図である。図示するコードマスタは、商品開発に関する情報について、創造思考技術毎に分類した際のコードである。
【００２５】
このコードマスタは、創造思考技術と、大分類コードと、小分類コードとのデータ項目を有する。大分類コードと小分類コードとは階層の関係である。大分類コードと小分類コードとを連結させたコードが分類コードである。分類コードは創造思考技術に対応付けられている。以下、創造思考技術が「ナレッジコーチ（成功者・人生）・レセプタ（生き方・生活習慣改善）」と、「伝承（商品企画開発・業務・学業等の倫理工学システム思考技術）」の例について説明する。図４に示す例では、創造思考技術「ナレッジコーチ・レセプタ」に対応付けられている大分類コードは「ＮＣＣ」であり、小分類コードはｎｕｌｌ（何のデータも含まれない状態）である。従って、大分類コードと小分類コードを連結してなる分類コードは「ＮＣＣ」である。また、創造思考技術「ナレッジコーチ・レセプタ・伝承」に対応付けられている大分類コードは「ＮＣＣ」であり、小分類コードは「ＮＮ００１」である。従って、大分類コードと小分類コードを連結してなる分類コードは「ＮＣＣＮＮ００１」である。他の創造思考技術に関連付けられている大分類コードと小分類コードは図４に示す通りである。
【００２６】
図５は、データベース４２が記憶するフォームテーブル（フォーム記憶部）のデータ構造を示す概略図である。このフォームテーブルは、マップのフォーマットを定めたテーブルであり、フォーム識別情報と、倫理コードと、位置データと、分類コードと、カラムとのデータ項目を有する。
【００２７】
フォームテーブルには、予めマップ毎にフォーム識別情報と、倫理コードと、位置データとが定められている。使用者はマップを定義する際に、このマップに表示させる情報の倫理コードと、分類コードと、カラムとをユーザインタフェース部３１（図２）に入力する。入力受付部３３（図２）はユーザインタフェース部３１に入力された倫理コードと、分類コードと、カラムとの入力を受け付け、入力受付部３３が受け付けた値をデータベース書込み部４１（図２）がデータベース４２（図２）のフォームテーブルの該当する倫理コードの行に書き込む。なお、倫理コードとして人生憲章を入力した場合は、カラムには環境の変化・記述のみ入力することができる。
【００２８】
これにより、使用者が倫理コードと、分類コードと、カラムとで指定した情報と、位置情報とが一意に決まる。すなわち、使用者は、マップの定義を行う際に、マップに表示させる情報を指定すると、自動的にこの情報を配置する位置が決定する。よって、使用者はマップの定義を容易に行うことができる。
【００２９】
図５に示す例では、１行目は、フォーム識別情報が「１」であり、倫理コードが「徳育」であり、位置データが「位置１００１」であり、分類コードが「ＰＰＬ」であり、カラムが「Ｖｉｓｉｏｎ・目標・記述」である。これは、フォーム識別情報「１」のマップの出力指示を、ユーザインタフェース部３１（図２）を介してマップ作成部３４（図２）が受け付けた場合、マップ作成部３４は、作成するマップに、倫理コード「徳育」と、分類コード「ＰＰＬ」と、カラム「Ｖｉｓｉｏｎ・目標・記述」とで特定される情報を、位置データ「位置１００１」に基づいて配置することを示している。他の行についても同様である。なお、行５１５は、倫理コードが「人生憲章」であるため、カラムの値は「環境の変化・記述」のみ入力することができる。
【００３０】
次に、使用者が標準化フレームに関する情報を倫理情報処理装置１に入力する方法について説明する。本実施形態では、倫理情報処理装置１が表示する、標準化フレームに関する情報の入力を促す画面に従って、使用者は標準化フレームに関する情報を入力する。
【００３１】
図６は、本実施形態において、利用者に対して顧客像標準化フレームに関する情報の入力を促す画面を示した図である。入力ガイド部３２（図２）が制御することによりユーザインタフェース部（図２）がこの画面を表示する。また、この画面に入力された値は、入力受付部３３（図２）が入力を受け付け、入力受付部３３が受け付けた値をデータベース書込み部４１（図２）がデータベース４２（図２）の評価情報テーブル（図３）に書き込む。
【００３２】
同画面において、利用者がプルダウンメニュー７０１から７育のうちの１つを選択することが出来るようになっている。図示する例では、７育のうち「家育」が選択されている。また、同画面において、利用者がプルダウンメニュー７０２から大分類コードのうちの１つを選択することが出来るようになっている。図示する例では、大分類コードのうち「ＣＳＰ」が選択されている。また、同画面において、利用者がプルダウンメニュー７０３から小分類コードのうちの１つを選択することが出来るようになっている。図示する例では、小分類コードは「ＣＩ００１」が選択されている。なお、このコードは図４に示したコードである。
【００３３】
また、同画面において、データを記入することが出来るフォーム７０４を用いて、環境変化（環境の変化・記述、環境の変化・ポイント）の値を入力することができるようになっている。また、同画面において、データを記入することが出来るフォーム７０５を用いて、現状分析（現状の分析・記述、現状の分析・ポイント）の値を入力することができるようになっている。また、同画面において、データを記入することが出来るフォーム７０６を用いて、ビジョン（Ｖｉｓｉｏｎ・目標・記述、Ｖｉｓｉｏｎ・目標・ポイント）の値を入力することができるようになっている。また、同画面において、データを記入することが出来るフォーム７０７を用いて、ベンチャー（Ｖｅｎｔｕｅｒ・今日一日の行動計画・記述、Ｖｅｎｔｕｅｒ・今日一日の行動計画・ポイント）の値を入力することができるようになっている。また、同画面において、データを記入することが出来るフォーム７０８を用いて、ビクトリー（Ｖｉｃｔｏｒｙ・１年後の到達目標・記述、Ｖｉｃｔｏｒｙ・１年後の到達目標・ポイント）の値を入力することができるようになっている。また、同画面において、データを記入することが出来るフォーム７０９を用いて、人生憲章の値を入力することができるようになっている。
【００３４】
なお、フォームの形式はこれに限ることなく、他の値についても入力できるようにしてもよい。例えば図示するとおり、顧客生活習慣改善や生活習慣改善・生き方憲章などの項目を設けてもよい。なお、他の項目を設けた場合はデータベース４２（図２）の評価情報テーブル（図３）に該当する項目を設ける必要がある。
【００３５】
また、入力を促す画面と、入力済みの値を表示する画面とを並べて表示してもよい。図７は入力を促す画面と、入力済みの値を表示する画面とを並べて表示する例を示した図である。図示する例では、入力を促す画面として、商品企画標準化フレームの情報を促す領域が、画面の左半分に表示され、入力済みの値を表示する画面として、生活習慣改善標準化フレームの情報を表示する領域が、画面の右半分に表示されている。これにより、操作者は、以前入力した情報を参照しながら新たに情報を入力することができる。
【００３６】
なお、この表示は、入力ガイド部３２（図２）が制御することによりユーザインタフェース部３１（図２）がこの画面を表示する。入力済みの値については、入力ガイド部３２がデータベース４２より読み出し、表示する。また、この画面に入力された値は、入力受付部３３（図２）が入力を受け付け、入力受付部３３が受け付けた値をデータベース書込み部４１（図２）がデータベース４２（図２）の評価情報テーブル（図３）に書き込む。
【００３７】
また、入力を促す画面と、入力済みの値を表示する画面とを複数並べて表示してもよい。図８は入力を促す１つの画面と、入力済みの値を表示する２つの画面とを並べて表示する例を示した図である。図示する例では、入力を促す画面として、商品開発標準化フレームの情報を促す領域が画面の左側に表示され、入力済みの値を表示する画面として、商品企画標準化フレームの情報を表示する領域が画面中央部に表示され、生活習慣改善標準化フレームの情報を表示する領域が画面の右側に表示されている。これにより、操作者は、以前入力した情報のうち、複数の情報を参照しながら新たに情報を入力することができる。
【００３８】
なお、この表示は、入力ガイド部３２（図２）が制御することによりユーザインタフェース部（図２）がこの画面を表示する。入力済みの値については、入力ガイド部３２がデータベース４２より読み出し、表示する。また、この画面に入力された値は、入力受付部３３（図２）が入力を受け付け、入力受付部３３が受け付けた値をデータベース書込み部４１（図２）がデータベース４２（図２）の評価情報テーブル（図３）に書き込む。
【００３９】
上述したとおり、図６〜図８に示した入力を促す画面に従って、使用者が標準化フレームに関する情報を入力することで、図３に示した倫理情報処理装置１のデータベース４２が記憶する評価情報テーブルに情報が記憶される。
【００４０】
次に、倫理情報処理装置１がマップを作成する方法について説明する。図９は、本実施形態におけるマップ９０１（倫理思考マップ）を示す概略図である。図示する例では、位置データ「位置１００１」で指定されている位置はフィールド１００１である。同様に位置データ「位置１００２〜１０１２」で指定されている位置としてフィールド１００２〜１０１５が示されている。
【００４１】
本実施形態では、マップ作成部３４（図２）は、データベース４２（図２）が記憶するフォームテーブル（図５）と評価情報テーブル（図３）との情報を読み出し、読み出した情報に基づいてマップを作成する。例えば、フォーム識別情報「１」のマップの出力指示を、ユーザインタフェース部３１（図２）を介してマップ作成部３４が受け付けた場合の例について以下に説明する。
【００４２】
はじめに、マップ作成部３４は、フォームテーブルから、フォーム識別情報が「１」である行５０１を読み出す。続いて、マップ作成部３４は、行５０１の分類コード「ＰＰＬ」と、倫理コード「徳育」と、カラム「Ｖｉｓｉｏｎ・目標・記述」で特定される情報を、評価情報テーブルから読み出す。具体的には、評価情報テーブルにおいて、分類コードが「ＰＰＬ」であり、倫理コードが「徳育」である行のカラム「Ｖｉｓｉｏｎ・目標・記述」に記憶されている情報を読み出す。続いて、マップ作成部３４は、この読み出した情報を、行５０１の位置データ「位置１００１」で指定される位置１００１に配置する。
【００４３】
続いて、マップ作成部３４は、フォームテーブルから、フォーム識別情報が「１」である行５０２を読み出す。以下、行５０１を読み出した際の処理と同様に、行５０２についても処理を行い、「位置１００２」で指定されるフィールドに情報を配置する。同様に、フォーム識別情報が「１」であるすべての行５０３〜５１５について処理を行い、フィールドに情報を配置する。
【００４４】
続いて、マップ作成部３４は、フィールドに情報を配置したフォームをマップとして印刷出力する。なお、印刷出力ではなく、ディスプレイ装置に表示してもよい。
【００４５】
また、マップの形式は図９に示した例に限られない。例えば、マップ作成部３４は、図１０に示すようなマップを出力してもよい。図１０は、本実施形態におけるマップを示した概略図である。マップ９０２（ＰＤＣＡマップ）のフォーム識別情報は「２」であるマップ９０２上における位置データとして、位置２００１〜２０１２が定められている。
【００４６】
マップ作成部３４がマップ９０２を出力する手順は、マップ９０１を出力する手順と同様に、データベース４２（図２）が記憶するフォームテーブル（図５）と評価情報テーブル（図３）との情報を読み出し、読み出した情報に基づいて行う手順である。
【００４７】
次に、倫理情報処理装置１がグラフを作成する方法について説明する。本実施形態では、マップ作成部３４（図２）は、データベース４２（図２）が記憶する評価情報テーブル（図３）から、分類コード毎に、分類コードと倫理コードとに関連付けて記憶されている環境の変化・ポイント、現状の分析・ポイント、Ｖｉｓｉｏｎ・目標・ポイント、Ｖｅｎｔｕｅｒ・今日一日の行動計画・ポイント、Ｖｉｃｔｏｒｙ・１年後の到達目標・ポイントの値を読み出す。
【００４８】
マップ作成部３４は、読み出したポイントのうち、徳育と、家育と、知育と、体育と、遊育と、財育と、美育と、喜びと感謝と、積極プラス思考力と、判断力・感情の統御力と、克己心・忍耐力と、勇気・行動力と毎に、関連するポイントの平均値を算出する。また、マップ作成部３４は、読み出したポイントのうち、Ｖｉｓｉｏｎ・目標と、Ｖｅｎｔｕｅｒ・今日一日の行動計画と、Ｖｉｃｔｏｒｙ・１年後の到達目標と毎に、関連するポイントの平均値を算出する。
【００４９】
具体的には、徳育に関連するポイントの平均値としては、倫理コードが「徳育」である行の環境の変化・ポイントと、現状の分析・ポイントと、Ｖｉｓｉｏｎ・目標・ポイントと、Ｖｅｎｔｕｅｒ・今日一日の行動計画・ポイントと、Ｖｉｃｔｏｒｙ・１年後の到達目標・ポイントとの値の平均を算出した値である。家育と、知育と、体育と、遊育と、財育と、美育と、喜びと感謝と、積極プラス思考力と、判断力・感情の統御力と、克己心・忍耐力と、勇気・行動力とについても徳育と同様である。
【００５０】
また、Ｖｉｓｉｏｎ・目標に関連するポイントの平均値としては、倫理コードが「徳育」である行のＶｉｓｉｏｎ・目標・ポイントと、倫理コードが「家育」である行のＶｉｓｉｏｎ・目標・ポイントと、倫理コードが「知育」である行のＶｉｓｉｏｎ・目標・ポイントと、倫理コードが「体育」である行のＶｉｓｉｏｎ・目標・ポイントと、倫理コードが「遊育」である行のＶｉｓｉｏｎ・目標・ポイントと、倫理コードが「財育」である行のＶｉｓｉｏｎ・目標・ポイントと、倫理コードが「美育」である行のＶｉｓｉｏｎ・目標・ポイントと、倫理コードが「喜びと感謝」である行のＶｉｓｉｏｎ・目標・ポイントと、倫理コードが「積極プラス思考力」である行のＶｉｓｉｏｎ・目標・ポイントと、倫理コードが「判断力・感情の統御力」である行のＶｉｓｉｏｎ・目標・ポイントと、倫理コードが「克己心・忍耐力」である行のＶｉｓｉｏｎ・目標・ポイントと、倫理コードが「勇気・行動力」である行のＶｉｓｉｏｎ・目標・ポイントとの平均を算出した値である。Ｖｅｎｔｕｅｒ・今日一日の行動計画と、Ｖｉｃｔｏｒｙ・１年後の到達目標についてもＶｉｓｉｏｎ・目標と同様である。
【００５１】
続いて、マップ作成部３４は算出した各平均値に基づいてグラフを出力する。図１１は本実施形態における倫理情報処理装置１が出力したグラフを示した図である。図示する例では、７育評価のグラフ２０１と、５心脳評価のグラフ２０２と、３Ｖ評価のグラフ２０３とが示されている。
【００５２】
７育評価のグラフ２０１は、７角形のグラフであり、各頂点と７角形の中心とを結ぶ直線上に、徳育の平均値２１１と、家育の平均値２１２と、知育の平均値２１３と、体育の平均値２１４と、美育の平均値２１５と、遊育の平均値２１６と、財育の平均値２１７とが示されている。図示する例では、各平均値は０である。
【００５３】
５心脳評価のグラフ２０２は、５角形のグラフであり、各頂点と５角形の中心とを結ぶ直線上に、喜びと感謝の平均値２２１と、積極プラス思考力の平均値２２２と、判断力・感情の統御力の平均値２２３と、克己心・忍耐力の平均値２２４と、勇気・行動力の平均値２２５とが示されている。図示する例では、各平均値は０である。
【００５４】
３Ｖ評価のグラフ２０３は、３角形のグラフであり、各頂点と３角形の中心とを結ぶ直線上に、ビジョン（Ｖｉｓｉｏｎ・目標）の平均値２３１と、ベンチャー（Ｖｅｎｔｕｅｒ・今日一日の行動計画）の平均値２３２と、ビクトリー（Ｖｉｃｔｏｒｙ・１年後の到達目標）の平均値２３３とが示されている。図示する例では、各平均値は３である。
【００５５】
上述したとおり、マップ作成部３４は評価情報テーブルに基づいて倫理思考マップやＰＤＣＡマップ等のマップと、評価グラフとを作成することができる。すなわち、７育・５心で定められる標準化フレームを倫理情報処理装置に用いることで、人の創造性を伴う仕事を体系的に整理して共有することができる。これにより、例えば、開発者は、共通言語と倫理思考との共有知に基づいた各種マップに基づいて商品開発を行うことができる。また、共通言語と倫理思考との共有知に基づいて商品開発が行われるため、評価についても共通言語と倫理思考との共有知に基づいて行うことができる。また、企画開発および評価は共通言語と倫理思考との共有知に基づいてなされるため、商品がヒットした場合、ヒットした要因を正しく評価することができる。
【００５６】
以上、本実施形態では、商品開発に関する情報について創造思考技術毎に分類したコードマスタを用いて、倫理情報処理装置１が商品開発に関する情報に基づいたレポートおよびグラフを出力する例を説明してきた。しかしながら、倫理情報処理装置１は、コードマスタを変更することで、商品開発に関する情報以外に基づいたレポートおよびグラフを出力することができる。
【００５７】
具体的には、処理を行いたい分野に関する情報について創造思考技術毎に分類したコードマスタを用意し、本実施形態におけるコードマスタと置き換えることで、コードマスタ以外の構成を変更することなく、倫理情報処理装置１は他の分野に関する情報に基づいたレポートおよびグラフを出力することができる。
【００５８】
例えば、社会人や公務員に関する情報に基づいたレポートおよびグラフを出力する際に用いるコードマスタは、図４に示したコードマスタのうち、大分類コード「ＣＳＭ」の名称を「業務習慣改善セグメントマップ」に変更し、大分類コード「ＣＥＶ」の名称を「業務習慣セグメント評価」に変更し、大分類コード「ＰＩＭ」の名称を「業務習慣・業務提案」に変更したコードマスタである。
【００５９】
また、学生に関する情報に基づいたレポートおよびグラフを出力する際に用いるコードマスタは、図４に示したコードマスタのうち、大分類コード「ＣＳＭ」の名称を「学業習慣改善セグメントマップ」に変更し、大分類コード「ＣＥＶ」の名称を「学業習慣セグメント評価」に変更し、大分類コード「ＰＩＭ」の名称を「学業習慣・学業提案」に変更したコードマスタである。
【００６０】
図１２は、本実施形態において、利用者に対してコードマスタの設定情報の入力を促す画面を示した図である。入力ガイド部３２（図２）が制御することによりユーザインタフェース部（図２）がこの画面を表示する。また、この画面に入力された値は、入力受付部３３（図２）が入力を受け付け、入力受付部３３が受け付けた値をデータベース書込み部４１（図２）がデータベース４２（図２）のコードマスタ（図４）に書き込む。
【００６１】
同画面において、利用者が大分類コードと、小分類コードと、名称とを入力することができるようになっている。図示する例では、大分類コードにはＮＣＣが入力され、小分類コードにはＮＮ００１が入力され、名称にはナレッジコーチが入力されている。この入力を反映させることで、コードマスタにおいて、大分類コードＮＣＣにおける小分類コードＮＮ００１の名称をナレッジコーチに変更することができる。なお、利用者の情報をプロフィールとしてデータベース４２に記憶し、このプロフィールでマップの定義を変更することができる権限を管理することで、権限を与えられた特定の利用者のみがマップの定義を行うことができるようにしてもよい。
【００６２】
なお、倫理情報処理装置１が「倫理工学」のプラットフォーム処理を行うことができる例としては、人文倫理工学システム思考技術、環境倫理工学システム思考技術、理学倫理工学システム思考技術、歴史倫理工学システム思考技術、地方自治体倫理工学システム思考技術、地域教育倫理工学システム思考技術、国家経営倫理工学システム思考技術、政治倫理工学システム思考技術、経済倫理工学システム思考技術、医療倫理工学システム思考技術、農業倫理工学システム思考技術、人生倫理工学システム思考技術、経営倫理工学システム思考技術がある。
【００６３】
更に「倫理工学」地方自治体業務プラットフォームシステム思考技術に関連する、地域振興倫理工学システム思考技術、環境倫理工学システム思考技術、交通倫理工学システム思考技術、観光倫理工学システム思考技術、市民サービス倫理工学システム思考技術、教育文化倫理工学システム思考技術、地方自治倫理工学システム思考技術、商業倫理工学システム思考技術、公安倫理工学システム思考技術、医療倫理工学システム思考技術、農業水産倫理工学システム思考技術、福祉倫理工学システム思考技術、上下水道倫理工学システム思考技術、消防倫理工学システム思考技術についても倫理情報処理装置１は処理を行うことができる。
【００６４】
更に、「倫理工学」経営倫理プラットフォームシステム思考技術に関連する、営業倫理工学システム思考技術、人事倫理工学システム思考技術、財務倫理工学システム思考技術、広告宣伝倫理工学システム思考技術、組織倫理工学システム思考技術、生産倫理工学システム思考技術、海外倫理工学システム思考技術、経営管理倫理工学システム思考技術、商品開発倫理工学システム思考技術、グループ倫理工学システム思考技術、技術開発倫理工学システム思考技術、商品企画倫理工学システム思考技術、情報倫理工学システム思考技術についても倫理情報処理装置１は処理を行うことができる。
【００６５】
以上、この発明の実施形態について図面を参照して詳述してきたが、具体的な構成、プログラム、およびシステムはこの実施形態に限られるものではなく、この発明の要旨を逸脱しない範囲の設計等も含まれる。
【００６６】
また、倫理情報処理装置１の機能を実現するための「倫理工学プラットフォームシステム思考技術」プログラムをコンピュータ読み取り可能な記録媒体に記録して、この記録媒体に記録されたプログラムをコンピュータシステムに読み込ませ、実行することにより、マップやグラフの出力を行ってもよい。なお、ここでいう「コンピュータシステム」とは、ＯＳや周辺機器等のハードウェアを含むものであってもよい。
【００６７】
また、「コンピュータシステム」は、ＷＷＷシステムを利用している場合であれば、ホームページ提供環境（あるいは表示環境）も含み、更にＷｅｂ２．０環境においては、倫理工学プラットフォーム（倫理情報処理ブラウザ機能）の提供により各プラットフォーム環境での情報交換・意見・討論等がネット上でも共通思考・共通言語・共有知となり倫理システム思考展開の遠隔コミュニケーションのシステム思考技術環境を提供するものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
【００６９】
また、上記プログラムは、このプログラムを記憶装置等に格納したコンピュータシステムから、伝送媒体を介して、あるいは、伝送媒体中の伝送波により他のコンピュータシステムに伝送されてもよい。また、携帯電話などの端末装置に伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００７０】
【図１】本発明の一実施形態における倫理情報処理装置のハードウェア構成を示したブロック図である。
【図２】本実施形態における倫理情報処理装置の機能構成を示したブロック図である。
【図３】本実施形態におけるデータベース内の評価情報テーブルのデータ構造を示す概略図である。
【図４】本実施形態におけるデータベース内のコードマスタのデータ構造を示す概略図である。
【図５】本実施形態におけるデータベース内のフォーマットテーブルのデータ構造を示す概略図である。
【図６】本実施形態において、利用者に対して顧客像標準化フレームに関する情報の入力を促す画面を示した図である。
【図７】本実施形態において、利用者に対して顧客像標準化フレームに関する情報の入力を促す画面と、入力済みの値を表示する画面とを並べて表示する例を示した図である。
【図８】本実施形態において、利用者に対して顧客像標準化フレームに関する情報の入力を促す１つの画面と、入力済みの値を表示する２つの画面とを並べて表示する例を示した図である。
【図９】本実施形態における倫理情報処理装置が出力するマップの例を示した図である。
【図１０】本実施形態における倫理情報処理装置が出力するマップの例を示した図である。
【図１１】本実施形態における倫理情報処理装置が出力するグラフの例を示した図である。
【図１２】本実施形態において、利用者に対してコードマスタの設定情報の入力を促す画面を示した図である。
【符号の説明】
【００７１】
１・・・倫理情報処理装置、１０・・・バス、１１・・・ＣＰＵ、１２・・・ＲＡＭ、１３・・・ＲＯＭ、１４，１５・・・入出力制御部、１６・・・磁気ハードディスク装置、１７・・・ディスプレイ装置、３１・・・ユーザインタフェース部、３２・・・入力ガイド部、３３・・・入力受付部、３４・・・レポート作成部、４１・・・データベース書込部、４２・・・データベース
【図１】
2009301354.tif 000003
【図２】
2009301354.tif 000004
【図３】
2009301354.tif 000005
【図４】
2009301354.tif 000006
【図５】
2009301354.tif 000007
【図６】
2009301354.tif 000008
【図７】
2009301354.tif 000009
【図８】
2009301354.tif 000010
【図９】
2009301354.tif 000011
【図１０】
2009301354.tif 000012
【図１１】
2009301354.tif 000013
【図１２】
2009301354.tif 000014